【手続補正書】
【提出日】平成19年12月21日(2007.12.21)
【手続補正１】
【補正対象書類名】特許請求の範囲
【補正対象項目名】全文
【補正方法】変更
【補正の内容】
【特許請求の範囲】
【請求項１】
透明基材の入光側に複数のレンズを有し、前記透明基材の出光側に遮光帯を有するレンズシートにおいて、出光側の前記透明基材上の前記レンズの集光部に硬化した紫外線硬化型樹脂で複数の突起部が形成され、前記複数の突起部間に遮光材料が埋め込まれて遮光帯が形成されていることを特徴とする遮光帯を有するレンズシート。
【請求項２】
前記突起部の断面形状が、前記透明基材上に底面を有する二等辺三角形もしくは等脚台形であることを特徴とする請求項１に記載の遮光帯を有するレンズシート。
【請求項３】
前記遮光帯の最表面が、前記突起部の頂部に略等しいか、もしくは前記突起部の頂部よりも前記透明基材側に凹んでいることを特徴とする請求項１又は請求項２に記載の遮光帯を有するレンズシート。
【請求項４】
前記突起部の厚みが１０μｍ以上であることを特徴とする請求項１〜請求項３のいずれか１項に記載の遮光帯を有するレンズシート。
【請求項５】
前記遮光帯の厚みが１０μｍ以上であることを特徴とする請求項１〜請求項４のいずれか１項に記載の遮光帯を有するレンズシート。
【請求項６】
前記透明基材及び前記レンズが、熱可塑性樹脂を用いて形成されていることを特徴とする請求項１〜請求項５のいずれか１項に記載の遮光帯を有するレンズシート。
【請求項７】
前記レンズは、１次元配列のレンチキュラーレンズであることを特徴とする請求項１〜請求項６のいずれか１項に記載の遮光帯を有するレンズシート。
【請求項８】
前記レンズは、２次元配列のレンズアレイであることを特徴とする請求項１〜請求項６のいずれか１項に記載の遮光帯を有するレンズシート。
【請求項９】
前記レンズの焦点は、前記透明基材の厚みよりも長いことを特徴とする請求項１〜請求項８のいずれか１項に記載の遮光帯を有するレンズシート。
【請求項１０】
前記レンズの焦点は、前記紫外線硬化型樹脂の最表面と同じか又は長いことを特徴とする請求項１〜請求項９のいずれか１項に記載の遮光帯を有するレンズシート。
【請求項１１】
前記遮光帯の屈折率は、前記透明基材の屈折率と同じか又はそれ以下であることを特徴とする請求項１〜請求項１０のいずれか１項に記載の遮光帯を有するレンズシート。
【請求項１２】
前記遮光帯の遮光材料は、カーボンブラックや暗色系の顔料、及び／又は染料からなる遮光性物質、又は黒色ビーズ、又は光吸収性物質のいずれか（１以上）が、バインダ成分とする樹脂組成物中に、配合されているものであることを特徴とする請求項１〜請求項１１のいずれか１項に記載の遮光帯を有するレンズシート。
【請求項１３】
前記遮光性物質及び／又は光吸収性物質は、遮光帯中に、１〜７０％（質量基準）程度含有されることを特徴とする請求項１２に記載の遮光帯を有するレンズシート。
【請求項１４】
前記遮光性物質及び／又は黒色ビーズ及び／又は光吸収性物質より形成される遮光帯の光学濃度（ＯＤ：Ｏｐｔｉｃａｌ  Ｄｅｎｓｉｔｙ）の値は、２以上であることを特徴とする請求項１２〜１３のいずれか１に記載の遮光帯を有するレンズシート。
【請求項１５】
前記黒色ビーズが、粒径１０μｍ以下であり、前記バインダ樹脂中に１０〜４０体積％の範囲で含まれることを特徴とする請求項１２に記載の遮光帯を有するレンズシート。
【請求項１６】
前記遮光性物質は、カーボンブラック、Ｆｅ3 Ｏ4 、もしくは濃色の染料の混合物のいずれか１であることを特徴とする請求項１２〜請求項１５のいずれか１項に記載の遮光帯を有するレンズシート。
【請求項１７】
前記光吸収性物質は、可視光（波長４００〜７００ｎｍ）に対する光吸収性物質で、カーボンブラック、有機顔料、例えば、ニトロソ染料、ニトロ染料、アゾ染料、スチルベンアゾ染料、ケトイミン染料、トリフェニルメタン染料、キサンテン染料、アクリジン染料、キノリン染料、メチン、ポリメチン染料、チアゾール染料、インダミン、インドフェノール染料、アジン染料、オキサジン染料、チアジン染料、硫化染料、アミノケトン、オキシケトン染料、アントラキノン染料、インジゴイド染料、もしくはフタロシアニン染料等、金属、例えばＺｎ、Ｃｕ、Ａｌ、Ｐｂ、Ｃｒ、Ｃｄ、Ｆｅ、Ｃｏ、Ｋ、Ｎａ、Ｔｉ、Ｈｇ、Ｓｒ、Ｃａ、Ｂａ、Ｓｉ、もしくはＳ等の単体、合金、酸化物、水酸化物、またはこれらの複合体、等の無機化合物のいずれか１以上であることを特徴とする請求項１２〜請求項１６のいずれか１項に記載の遮光帯を有するレンズシート。
【請求項１８】
前記突起部に拡散剤が含有されていること特徴とする請求項１〜請求項１７のいずれか１項に記載の遮光帯を有するレンズシート。
【請求項１９】
前記遮光帯を有するレンズシートに支持板が貼り合せられていることを特徴とする請求項１〜請求項１８のいずれか１項に記載の遮光帯を有するレンズシート。
【請求項２０】
前記支持板の内部、表面のいずれか又は双方に拡散材料が含有されていることを特徴とする請求項１〜請求項１９のいずれか１項に記載の遮光帯を有するレンズシート。
【請求項２１】
透明基材の入光側に複数のレンズを有し、前記透明基材の出光側に遮光帯を有するレンズシートの製造方法において、
（１）透明基材上にレンズを有するレンズシートを形成する工程、
（２）前記レンズと反対側の前記透明基材上に紫外線硬化型樹脂の塗膜を形成する工程、（３）前記レンズ側より平行光からなる紫外線を照射し、前記レンズの集光部の前記紫外線硬化型樹脂を硬化させる工程、
（４）前記レンズの集光部以外の未硬化の前記紫外線硬化型樹脂を除去し、前記硬化した紫外線硬化型樹脂を突起部として形成する工程、
（５）前記未硬化の紫外線硬化型樹脂を除去した領域に遮光材料を埋め込み遮光帯を形成する工程、
とを含むことを特徴とする遮光帯を有するレンズシートの製造方法。
【請求項２２】
前記未硬化の紫外線硬化型樹脂を除去した後、前記突起部の頂部に遮光材料をはじく材料をあらかじめ塗布する工程が含まれることを特徴とする請求項２１に記載の遮光帯を有するレンズシートの製造方法。
【請求項２３】
透明基材の入光側に複数のレンズを有し、前記透明基材の出光側に遮光帯を有するレンズシートの製造方法において、
（１）透明基材上にレンズを有するレンズシートを形成する工程、
（２）前記レンズと反対側の前記透明基材上に紫外線硬化型樹脂の塗膜を形成する工程、（３）前記レンズ側より平行光からなる紫外線を照射し、前記レンズの集光部の前記紫外線硬化型樹脂を硬化させる工程、
（４）前記レンズの集光部以外の未硬化の前記紫外線硬化型樹脂に遮光材料を埋め込み遮光帯を形成するとともに、前記レンズの集光部を突起部として形成する工程、
（５）前記レンズシートに紫外線を照射し、前記未硬化の紫外線硬化型樹脂を硬化する工程、
とを含むことを特徴とする遮光帯を有するレンズシートの製造方法。
【手続補正２】
【補正対象書類名】明細書
【補正対象項目名】００２３
【補正方法】変更
【補正の内容】
【００２３】
請求項１２に記載の発明は、請求項１〜請求項１１のいずれか１項に記載の遮光帯を有するレンズシートにおいて、  前記遮光帯の遮光材料は、カーボンブラックや暗色系の顔料、及び／又は染料からなる遮光性物質、又は黒色ビーズ、又は光吸収性物質のいずれか（１以上）が、バインダ成分とする樹脂組成物中に、配合されているものであることを特徴とする。
また、請求項１３に記載の発明は、上記の遮光帯を有するレンズシートにおいて、前記遮光性物質及び／又は光吸収性物質は、遮光帯中に、１〜７０％（質量基準）程度含有されることを特徴とする。
また、請求項１４に記載の発明は、上記いずれかの遮光帯を有するレンズシートにおいて、前記遮光性物質及び／又は黒色ビーズ及び／又は光吸収性物質より形成される遮光帯の光学濃度（ＯＤ：Ｏｐｔｉｃａｌ  Ｄｅｎｓｉｔｙ）の値は、２以上であることを特徴とする。
また、請求項１５に記載の発明は、上記の遮光帯を有するレンズシートにおいて、前記黒色ビーズが、粒径１０μｍ以下であり、前記バインダ樹脂中に１０〜４０体積％の範囲で含まれることを特徴とする。
また、請求項１６に記載の発明は、上記いずれかの遮光帯を有するレンズシートにおいて、前記遮光性物質は、カーボンブラック、Ｆｅ3 Ｏ4 、もしくは濃色の染料の混合物のいずれか１であることを特徴とする。
また、請求項１７に記載の発明は、上記いずれかの遮光帯を有するレンズシートにおいて、前記光吸収性物質は、可視光（波長４００〜７００ｎｍ）に対する光吸収性物質で、カーボンブラック、有機顔料、例えば、ニトロソ染料、ニトロ染料、アゾ染料、スチルベンアゾ染料、ケトイミン染料、トリフェニルメタン染料、キサンテン染料、アクリジン染料、キノリン染料、メチン、ポリメチン染料、チアゾール染料、インダミン、インドフェノール染料、アジン染料、オキサジン染料、チアジン染料、硫化染料、アミノケトン、オキシケトン染料、アントラキノン染料、インジゴイド染料、もしくはフタロシアニン染料等、金属、例えばＺｎ、Ｃｕ、Ａｌ、Ｐｂ、Ｃｒ、Ｃｄ、Ｆｅ、Ｃｏ、Ｋ、Ｎａ、Ｔｉ、Ｈｇ、Ｓｒ、Ｃａ、Ｂａ、Ｓｉ、もしくはＳ等の単体、合金、酸化物、水酸化物、またはこれらの複合体、等の無機化合物のいずれか１以上であることを特徴とする。
【手続補正３】
【補正対象書類名】明細書
【補正対象項目名】００２４
【補正方法】削除
【補正の内容】
【手続補正４】
【補正対象書類名】明細書
【補正対象項目名】００２５
【補正方法】変更
【補正の内容】
【００２５】
請求項１８に記載の発明は、請求項１〜請求項１７のいずれか１項に記載の遮光帯を有するレンズシートにおいて、前記突起部に拡散剤が含有されていること特徴とする。
【手続補正５】
【補正対象書類名】明細書
【補正対象項目名】００２６
【補正方法】変更
【補正の内容】
【００２６】
請求項１９に記載の発明は、請求項１〜請求項１８のいずれか１項に記載の遮光帯を有するレンズシートにおいて、
前記遮光帯を有するレンズシートに支持板が貼り合せられていることを特徴とする。
【手続補正６】
【補正対象書類名】明細書
【補正対象項目名】００２７
【補正方法】変更
【補正の内容】
【００２７】
請求項２０に記載の発明は、請求項１〜請求項１９のいずれか１項に記載の遮光帯を有するレンズシートにおいて、
前記支持板の内部、表面のいずれか又は双方に拡散材料が含有されていることを特徴とする。
【手続補正７】
【補正対象書類名】明細書
【補正対象項目名】００２８
【補正方法】変更
【補正の内容】
【００２８】
本発明の請求項２１に記載の遮光帯を有するレンズシートの製造方法は、透明基材の入光側に複数のレンズを有し、前記透明基材の出光側に遮光帯を有するレンズシートの製造方法において、
（１）透明基材上にレンズを有するレンズシートを形成する工程、
（２）前記レンズと反対側の前記透明基材上に紫外線硬化型樹脂の塗膜を形成する工程、（３）前記レンズ側より平行光からなる紫外線を照射し、前記レンズの集光部の前記紫外      線硬化型樹脂を硬化させる工程、
（４）前記レンズの集光部以外の未硬化の前記紫外線硬化型樹脂を除去し、前記硬化した      紫外線硬化型樹脂を突起部として形成する工程、
（５）前記未硬化の紫外線硬化型樹脂を除去した領域に遮光材料を埋め込み遮光帯を形成      する工程、
とを含むことを特徴とする。
【手続補正８】
【補正対象書類名】明細書
【補正対象項目名】００２９
【補正方法】変更
【補正の内容】
【００２９】
請求項２２に記載の発明は、請求項２１に記載の遮光帯を有するレンズシートの製造方法において、前記未硬化の紫外線硬化型樹脂を除去した後、前記突起部の頂部に遮光材料をはじく材料をあらかじめ塗布する工程が含まれることを特徴とする。
【手続補正９】
【補正対象書類名】明細書
【補正対象項目名】００３０
【補正方法】変更
【補正の内容】
【００３０】
本発明の請求項２３に記載の遮光帯を有するレンズシートの製造方法は、透明基材の入光側に複数のレンズを有し、前記透明基材の出光側に遮光帯を有するレンズシートの製造方法において、
（１）透明基材上にレンズを有するレンズシートを形成する工程、
（２）前記レンズと反対側の前記透明基材上に紫外線硬化型樹脂の塗膜を形成する工程、（３）前記レンズ側より平行光からなる紫外線を照射し、前記レンズの集光部の前記紫外線硬化型樹脂を硬化させる工程、
（４）前記レンズの集光部以外の未硬化の前記紫外線硬化型樹脂に遮光材料を埋め込み遮光帯を形成するとともに、前記レンズの集光部を突起部として形成する工程、
（５）前記レンズシートに紫外線を照射し、前記未硬化の紫外線硬化型樹脂を硬化する工程、
とを含むことを特徴とする。